(57)【要約】【課題】機能性や利便性を向上することができる電子機器及びキーボード装置を提供する。【解決手段】電子機器１０は、携帯用情報機器１４と、携帯用情報機器１４を着脱可能なキーボード装置１２と、携帯用情報機器１４及びキーボード装置１２と選択的に着脱可能な拡張装置１６とを備える。携帯用情報機器１４の機器側コネクタ２６及びキーボード装置１２の第２コネクタ２９が共通のコネクタ構造で構成され、キーボード装置１２の第１コネクタ２８及び拡張装置１６の拡張側コネクタ３２が共通のコネクタ構造で構成されている。【選択図】図５Ａ
2018010457.tif 000002
【特許請求の範囲】
【請求項１】
携帯用情報機器と、該携帯用情報機器を着脱可能なキーボード装置とを備える電子機器であって、
前記携帯用情報機器及び前記キーボード装置と選択的に着脱可能であり、前記携帯用情報機器又は前記キーボード装置の機能を拡張する拡張装置を備え、
前記携帯用情報機器は、前記キーボード装置及び前記拡張装置と選択的に着脱可能な機器側コネクタを有し、
前記キーボード装置は、前記携帯用情報機器の機器側コネクタを着脱可能な第１コネクタと、前記拡張装置と着脱可能な第２コネクタとを有し、
前記拡張装置は、前記携帯用情報機器の機器側コネクタ及び前記キーボード装置の第２コネクタと選択的に着脱可能な拡張側コネクタを有し、
前記携帯用情報機器の機器側コネクタ及び前記キーボード装置の第２コネクタが、共通のコネクタ構造で構成され、
前記キーボード装置の第１コネクタ及び前記拡張装置の拡張側コネクタが、共通のコネクタ構造で構成されていることを特徴とする電子機器。
【請求項２】
請求項１記載の電子機器において、
前記機器側コネクタ及び前記第２コネクタは、雌側コネクタであり、
前記第１コネクタ及び前記拡張側コネクタは、雄側コネクタであることを特徴とする電子機器。
【請求項３】
請求項１又は２記載の電子機器において、
前記第２コネクタは、前記キーボード装置の後端面に設けられ、
前記拡張装置は、前記拡張側コネクタが前記第２コネクタに接続された状態で前記キーボード装置の下面側から突出する膨出部を有することを特徴とする電子機器。
【請求項４】
請求項３記載の電子機器において、
前記第１コネクタは、前記キーボード装置の後端部上面にヒンジを介して回動可能に連結された機器装着部の先端面に設けられ、
前記拡張装置の膨出部は、前記拡張側コネクタが前記第２コネクタに接続された状態で前記キーボード装置の上面側には突出しないことを特徴とする電子機器。
【請求項５】
請求項３又は４記載の電子機器において、
前記機器側コネクタは、前記携帯用情報機器の一側面に設けられ、
前記拡張装置の膨出部は、前記拡張側コネクタが前記機器側コネクタに接続された状態で前記携帯用情報機器の裏面側に突出することを特徴とする電子機器。
【請求項６】
請求項１〜５のいずれか１項に記載の電子機器において、
前記拡張装置は、回動可能なスタンドを備えることを特徴とする電子機器。
【請求項７】
請求項３〜５のいずれか１項に記載の電子機器において、
前記スタンドは、前記膨出部からさらに突出する方向に回動可能であることを特徴とする電子機器。
【請求項８】
請求項１〜７のいずれか１項に記載の電子機器において、
前記拡張装置は、バッテリ装置を含むことを特徴とする電子機器。
【請求項９】
請求項１〜８のいずれか１項に記載の電子機器において、
前記携帯用情報機器は、その表面にタッチ操作可能なディスプレイを有するタブレット型のパーソナルコンピュータであることを特徴とする電子機器。
【請求項１０】
携帯用情報機器を着脱可能なキーボード装置であって、
前記携帯用情報機器の機器側コネクタを着脱可能な第１コネクタと、
前記携帯用情報機器又は当該キーボード装置の機能を拡張する拡張装置の拡張側コネクタを着脱可能な第２コネクタとを備え、
前記第１コネクタが、前記拡張装置の拡張側コネクタと共通のコネクタ構造で構成され、
前記第２コネクタが、前記携帯用情報機器の機器側コネクタと共通のコネクタ構造で構成されていることを特徴とするキーボード装置。
【請求項１１】
請求項１０記載のキーボード装置において、
前記第１コネクタは、当該キーボード装置の後端部上面にヒンジを介して回動可能に連結された機器装着部の先端面に設けられ、
前記第２コネクタは、当該キーボード装置の後端面に設けられていることを特徴とするキーボード装置。 
【発明の詳細な説明】
【技術分野】
【０００１】
本発明は、携帯用情報機器とキーボード装置とを備えた電子機器及び該電子機器に適用可能なキーボード装置に関する。
【背景技術】
【０００２】
タブレット型のパーソナルコンピュータ（タブレット型ＰＣ）のような携帯用情報機器は可搬性や取扱い性を考慮して軽量コンパクトに構成されており、その機能が制限されている場合が多い。例えばタブレット型ＰＣは、大容量のバッテリ装置や複数の外部機器接続用端子等を搭載することが難しい。
【０００３】
そこで本出願人は特許文献１において、タブレット型ＰＣを装着することでタブレット型ＰＣのキーボード機能やバッテリ機能を拡張するキーボード装置を提案している。
【先行技術文献】
【特許文献】
【０００４】
【特許文献１】特開２０１６−９１４０９号公報
【発明の概要】
【発明が解決しようとする課題】
【０００５】
上記特許文献１の構成では、キーボード装置にバッテリ装置を搭載しており、キーボード装置に装着したタブレット型ＰＣのバッテリ機能を強化できる。しかしながら、タブレット型ＰＣをキーボード装置から取り外して単独で使用する際のバッテリの容量不足を解決することはできない。他方、キーボード装置についても可搬性等を考慮すると可能な限りの薄型化を図ることが望ましい。このため、大容量のバッテリ装置をキーボード装置内の限られたスペースに搭載することが難しい場合もある。このような問題はバッテリ装置だけでなく、外部機器用接続端子等の各種拡張機能においても同様に生じ得る。
【０００６】
本発明は、上記従来技術の課題を考慮してなされたものであり、機能性や利便性を向上することができる電子機器及びキーボード装置を提供することを目的とする。
【課題を解決するための手段】
【０００７】
本発明に係る電子機器は、携帯用情報機器と、該携帯用情報機器を着脱可能なキーボード装置とを備える電子機器であって、前記携帯用情報機器及び前記キーボード装置と選択的に着脱可能であり、前記携帯用情報機器又は前記キーボード装置の機能を拡張する拡張装置を備え、前記携帯用情報機器は、前記キーボード装置及び前記拡張装置と選択的に着脱可能な機器側コネクタを有し、前記キーボード装置は、前記携帯用情報機器の機器側コネクタを着脱可能な第１コネクタと、前記拡張装置と着脱可能な第２コネクタとを有し、前記拡張装置は、前記携帯用情報機器の機器側コネクタ及び前記キーボード装置の第２コネクタと選択的に着脱可能な拡張側コネクタを有し、前記携帯用情報機器の機器側コネクタ及び前記キーボード装置の第２コネクタが、共通のコネクタ構造で構成され、前記キーボード装置の第１コネクタ及び前記拡張装置の拡張側コネクタが、共通のコネクタ構造で構成されていることを特徴とする。
【０００８】
このような構成によれば、キーボード装置に携帯用情報機器及び拡張装置を同時に接続することができる。これにより、拡張装置の補助電源等の拡張機能をキーボード装置に接続した携帯用情報機器で使用することができ、機能性や利便性を向上することができる。さらに拡張装置は携帯用情報機器に直接的に接続することもできる。これにより、拡張装置の補助電源等の拡張機能を携帯用情報機器の単独使用時にも使用することができ、機能性や利便性が一層向上する。しかも、拡張装置を携帯用情報機器及びキーボード装置の兼用としたことで、携帯用情報機器やキーボード装置に搭載されるバッテリ装置や接続端子等の機能を最小限又は省略することができる。このため、携帯用情報機器やキーボード装置の薄型化や軽量化を図ることができる。
【０００９】
前記機器側コネクタ及び前記第２コネクタは、雌側コネクタであり、前記第１コネクタ及び前記拡張側コネクタは、雄側コネクタで構成されてもよい。そうすると、単独使用が想定される携帯用情報機器の外面や、拡張装置を接続しない状態での使用も想定されるキーボード装置の外面にコネクタ等が突出することがなく、外観品質や取扱い性が向上する。
【００１０】
前記第２コネクタは、前記キーボード装置の後端面に設けられ、前記拡張装置は、前記拡張側コネクタが前記第２コネクタに接続された状態で前記キーボード装置の下面側から突出する膨出部を有する構成であってもよい。そうすると、キーボード装置の後端側が机の面上等で後上がりの傾斜姿勢となるため、キーボードの操作性が向上する。
【００１１】
前記第１コネクタは、前記キーボード装置の後端部上面にヒンジを介して回動可能に連結された機器装着部の先端面に設けられ、前記拡張装置の膨出部は、前記拡張側コネクタが前記第２コネクタに接続された状態で前記キーボード装置の上面側には突出しない構成であってもよい。そうすると、拡張装置が機器装着部による携帯用情報機器の回動角度の調整時に機器装着部や携帯用情報機器に干渉し、当該電子機器のディスプレイとなる携帯用情報機器の回動角度の調整範囲が制限されることが防止される。
【００１２】
前記機器側コネクタは、前記携帯用情報機器の一側面に設けられ、前記拡張装置の膨出部は、前記拡張側コネクタが前記機器側コネクタに接続された状態で前記携帯用情報機器の裏面側に突出する構成であってもよい。そうすると、携帯用情報機器に直接的に拡張装置を接続して使用する場合に、ユーザが携帯用情報機器の一側面に接続された拡張装置を膨出部ごと手で把持して操作することができる。これにより、薄型化が図られた携帯用情報機器の一側面を把持する場合に比べ、厚みのある膨出部を介して携帯用情報機器をより安定して把持することができる。
【００１３】
前記拡張装置は、回動可能なスタンドを備えた構成であってもよい。そうすると、例えば携帯用情報機器に直接的に拡張装置を接続して使用する場合にスタンドを携帯用情報機器のスタンドとして機能させることができる。これにより、携帯用情報機器を机の面上等で起立させて使用できる。
【００１４】
前記スタンドは、前記膨出部からさらに突出する方向に回動可能な構成であってもよい。そうすると、例えば拡張装置をキーボード装置に接続して使用する場合は、キーボード装置の後端側でスタンドを回動させ、スタンドを膨出部よりも下方に突出させて机の面上等に着地させることができる。これにより、当該電子機器を机の面上等でさらに後上がりの傾斜姿勢とすることができる。
【００１５】
前記拡張装置は、バッテリ装置を含む構成であってもよい。
【００１６】
前記携帯用情報機器は、その表面にタッチ操作可能なディスプレイを有するタブレット型のパーソナルコンピュータであってもよい。
【００１７】
また、本発明に係るキーボード装置は、携帯用情報機器を着脱可能なキーボード装置であって、前記携帯用情報機器の機器側コネクタを着脱可能な第１コネクタと、前記携帯用情報機器又は当該キーボード装置の機能を拡張する拡張装置の拡張側コネクタを着脱可能な第２コネクタとを備え、前記第１コネクタが、前記拡張装置の拡張側コネクタと共通のコネクタ構造で構成され、前記第２コネクタが、前記携帯用情報機器の機器側コネクタと共通のコネクタ構造で構成されていることを特徴とする。
【００１８】
前記第１コネクタは、当該キーボード装置の後端部上面にヒンジを介して回動可能に連結された機器装着部の先端面に設けられ、前記第２コネクタは、当該キーボード装置の後端面に設けられた構成であってもよい。
【発明の効果】
【００１９】
本発明によれば、拡張装置の補助電源等の拡張機能をキーボード装置に携帯用情報機器を接続した状態で、又は携帯用情報機器の単独状態で使用することができ、機能性や利便性が一層向上し、高い汎用性も得られる。
【図面の簡単な説明】
【００２０】
【図１】図１は、本発明の一実施形態に係る電子機器の斜視図である。
【図２】図２は、図１に示す電子機器の携帯用情報機器を閉じた状態を示す斜視図である。
【図３】図３は、図１に示すキーボード装置から携帯用情報機器及び拡張装置を取り外した状態を示す斜視図である。
【図４】図４は、図１に示す携帯用情報機器に拡張装置を接続した状態を示す斜視図である。
【図５Ａ】図５Ａは、キーボード装置と携帯用情報機器及び拡張装置との接続構造を示す分解側面図である。
【図５Ｂ】図５Ｂは、キーボード装置と携帯用情報機器及び拡張装置とを接続した状態を示す側面図である。
【図６Ａ】図６Ａは、携帯用情報機器と拡張装置との接続構造を示す分解側面図である。
【図６Ｂ】図６Ｂは、携帯用情報機器と拡張装置とを接続した状態を示す側面図である。
【発明を実施するための形態】
【００２１】
以下、本発明に係る電子機器及びキーボード装置について好適な実施の形態を挙げ、添付の図面を参照しながら詳細に説明する。
【００２２】
図１は、本発明の一実施形態に係る電子機器１０の斜視図であり、キーボード装置１２に携帯用情報機器１４及び拡張装置１６を接続して携帯用情報機器１４を開いた状態を示している。図２は、図１に示す電子機器１０の携帯用情報機器１４を閉じた状態を示す斜視図である。図３は、図１に示すキーボード装置１２から携帯用情報機器１４及び拡張装置１６を取り外した状態を示す斜視図である。図４は、図１に示す携帯用情報機器１４に拡張装置１６を接続した状態を示す斜視図である。図５Ａは、キーボード装置１２と携帯用情報機器１４及び拡張装置１６との接続構造を示す分解側面図であり、図５Ｂは、キーボード装置１２と携帯用情報機器１４及び拡張装置１６とを接続した状態を示す側面図である。図６Ａは、携帯用情報機器１４と拡張装置１６との接続構造を示す分解側面図であり、図６Ｂは、携帯用情報機器１４と拡張装置１６とを接続した状態を示す側面図である。
【００２３】
本実施形態に係る電子機器１０は、キーボード装置１２に携帯用情報機器１４を接続した状態ではノートブック型のパーソナルコンピュータ（ノート型ＰＣ）として使用でき、キーボード装置１２から携帯用情報機器１４を取り外した状態では携帯用情報機器１４を単独でタブレット型ＰＣとして使用できる。携帯用情報機器１４は、タブレット型ＰＣ以外、例えば携帯電話、スマートフォン又は電子手帳等であってもよい。以下、図１に示すノートモードにおいて、携帯用情報機器１４のディスプレイ１８（図１中の携帯用情報機器１４の裏面側に設置）を視認しながらキーボード装置１２を操作する使用者から見た方向で、上下方向、左右方向、前後（手前、奥）方向と呼ぶこともある。
【００２４】
図１〜図３に示すように、キーボード装置１２は、携帯用情報機器１４の外部入力手段として機能する物理的なキーボード２０を備える。キーボード装置１２は、タブレット型ＰＣである携帯用情報機器１４をノート型ＰＣとして機能させ、その利便性を向上させるためのものである。キーボード装置１２の上面には、キーボード２０と共にタッチパッド２１等が設けられている。キーボード２０は、タッチ操作可能なディスプレイに表示されるソフトウエアキーボード等であってもよい。キーボード装置１２は、磁気ディスク装置や光学ディスク装置、バッテリ装置等の拡張機器を備えてもよい。
【００２５】
キーボード装置１２の後端部上面には、左右一対のヒンジ２２を介して回動可能に連結された機器装着部２４が設けられている。機器装着部２４は、携帯用情報機器１４のキーボード装置１２に対する被装着部となる部分である。図３に示すように、機器装着部２４の先端面２４ａには、携帯用情報機器１４の機器側コネクタ２６（図５Ａ参照）を接続可能な第１コネクタ２８が設けられている。先端面２４ａには、左右一対のガイド突起３０が第１コネクタ２８を跨ぐように設けられている。
【００２６】
キーボード装置１２の後端面１２ａには、拡張装置１６の拡張側コネクタ３２（図５Ａ参照）を接続可能な第２コネクタ２９が設けられている。さらに後端面１２ａには、左右一対のガイド凹部３１が第２コネクタ２９を跨ぐように設けられている。ガイド凹部３１は、ガイド突起３０と同形状且つ同ピッチに構成された拡張装置１６のガイド突起３０を着脱可能に嵌合可能である。
【００２７】
図１、図２及び図４に示すように、携帯用情報機器１４は、例えばタッチ操作可能なタッチパネル式の液晶ディスプレイであるディスプレイ１８を備える。携帯用情報機器１４の内部には、基板、演算装置、メモリ及びバッテリ装置等の各種電子部品が収納されている。
【００２８】
図１中で下端面となる携帯用情報機器１４の一側面１４ａには、キーボード装置１２の第１コネクタ２８及び拡張装置１６の拡張側コネクタ３２を選択的に接続可能な機器側コネクタ２６が設けられている（図５Ａ参照）。さらに一側面１４ａには、左右一対のガイド凹部３１が機器側コネクタ２６を跨ぐように設けられている（図５Ａ参照）。一対のガイド凹部３１は、図３に示すキーボード装置１２の一対のガイド凹部３１と同形状且つ同ピッチに構成されている。
【００２９】
図１、図２及び図４に示すように、拡張装置１６は、例えばバッテリ装置を内蔵することでキーボード装置１２又は携帯用情報機器１４の補助電源として機能する。拡張装置１６は、バッテリ装置と共に又はバッテリ装置に代えて、スピーカー、カメラ、スキャナ、プロジェクタ、ＵＳＢ端子等の各種接続端子等を備えた構成であってもよい。拡張装置１６は、筐体３４と、筐体３４の外面上で回動可能に設けられたスタンド３６とを備えたカートリッジ型の装置である（図５Ａも参照）。
【００３０】
筐体３４の長手方向寸法は、キーボード装置１２の後端面１２ａの左右方向寸法、及び携帯用情報機器１４の一側面１４ａの左右方向寸法と略同一に設定してある。筐体３４は、拡張装置１６がキーボード装置１２に接続された場合にキーボード装置１２の下面側から突出する方向に膨らんだ膨出部３４ａを有する（図５Ａ及び図５Ｂ参照）。なお、膨出部３４ａは、拡張装置１６がキーボード装置１２に接続された場合にキーボード装置１２の上面側に突出しない形状とされている。
【００３１】
図１中で前側となる拡張装置１６の前端面１６ａには、キーボード装置１２の第２コネクタ２９及び携帯用情報機器１４の機器側コネクタ２６と選択的に接続可能な拡張側コネクタ３２が設けられている（図５Ａ参照）。さらに前端面１６ａには、左右一対のガイド突起３０が拡張側コネクタ３２を跨ぐように設けられている（図５Ａ参照）。一対のガイド突起３０は、図３に示すキーボード装置１２の一対のガイド突起３０と同形状且つ同ピッチに構成されている。
【００３２】
スタンド３６は、筐体３４の膨出部３４ａの外周面を覆うように回転可能に設けられた筒状部３６ａを回動軸として回動可能に設けられた板状部材である。スタンド３６は、例えば拡張装置１６が携帯用情報機器１４に接続された場合に、携帯用情報機器１４の裏面に沿って平行に延在する収納姿勢（図６Ｂ中に実線で示すスタンド３６参照）と、膨出部３４ａからさらに突出する方向に回動し、携帯用情報機器１４の裏面から外方に突出した起立姿勢（図６Ｂ中に２点鎖線で示すスタンド３６参照）との間で姿勢変化可能である。スタンド３６は省略されてもよい。
【００３３】
以上より、図５Ａ及び図６Ａに示すように、キーボード装置１２を構成する機器装着部２４の先端面２４ａの第１コネクタ２８及びガイド突起３０には、携帯用情報機器１４の一側面１４ａの機器側コネクタ２６及びガイド凹部３１を着脱可能に接続できる。キーボード装置１２の後端面１２ａの第２コネクタ２９及びガイド凹部３１には、拡張装置１６の前端面１６ａの拡張側コネクタ３２及びガイド突起３０を着脱可能に接続できる。また、携帯用情報機器１４の一側面１４ａの機器側コネクタ２６及びガイド凹部３１には、拡張装置１６の前端面１６ａの拡張側コネクタ３２及びガイド突起３０を着脱可能に接続できる。
【００３４】
すなわち当該電子機器１０は、携帯用情報機器１４の機器側コネクタ２６及びキーボード装置１２の第２コネクタ２９が共通のコネクタ構造で構成され、キーボード装置１２の第１コネクタ２８及び拡張装置１６の拡張側コネクタ３２が共通のコネクタ構造で構成されている。具体的には、機器側コネクタ２６が図３に示す第２コネクタ２９と共通の雌側コネクタで構成され、拡張側コネクタ３２が図３に示す第１コネクタ２８と共通の雄側コネクタで構成され、これら雌側コネクタと雄側コネクタとは互いに接続可能である。また、機器側コネクタ２６及び第２コネクタ２９と並設されたガイド凹部３１と、拡張側コネクタ３２及び第１コネクタ２８と並設されたガイド突起３０とが互いに嵌合可能である。
【００３５】
従って、図１、図５Ａ及び図５Ｂに示すように、キーボード装置１２には、携帯用情報機器１４及び拡張装置１６を同時に接続することができる。これにより、拡張装置１６の補助電源等の拡張機能をノートモードの電子機器１０で使用することができ、機能性や利便性を向上することができる。図４、図６Ａ及び図６Ｂに示すように、携帯用情報機器１４に拡張装置１６を直接的に接続することもできる。これにより、拡張装置１６の補助電源等の拡張機能をタブレットモードの電子機器１０（携帯用情報機器１４）でも使用することができ、機能性や利便性が一層向上する。つまり拡張装置１６の汎用性が向上する。しかも、拡張装置１６を携帯用情報機器１４及びキーボード装置１２の兼用としたことで、携帯用情報機器１４やキーボード装置１２に搭載されるバッテリ装置や接続端子等の機能を最小限又は省略することができる。このため、携帯用情報機器１４やキーボード装置１２の薄型化や軽量化を図ることができる。
【００３６】
当該電子機器１０では、機器側コネクタ２６及び第２コネクタ２９を雌側コネクタとし、第１コネクタ２８及び拡張側コネクタ３２を雄側コネクタとしている。同様に、機器側コネクタ２６及び第２コネクタ２９と並設されたガイド凹部３１を雌側嵌合部とし、拡張側コネクタ３２及び第１コネクタ２８と並設されたガイド突起３０を雄側嵌合部としている。このため、単独使用が想定される携帯用情報機器１４の一側面１４ａや、拡張装置１６を接続しない状態での使用も想定されるキーボード装置１２の後端面１２ａにコネクタやガイド等が突出することがなく、外観品質や取扱い性が向上する。一方、拡張装置１６は単独使用が想定されないため、拡張側コネクタ３２やガイド突起３０が邪魔になることはほとんどない。また第１コネクタ２８及びガイド突起３０は、キーボード装置１２の上面上で回動可能な機器装着部２４の先端面２４ａに設けられている。このため、機器装着部２４を倒しておけばこれら第１コネクタ２８及びガイド突起３０がキーボード装置１２の運搬等の邪魔になることもない。
【００３７】
当該電子機器１０では、拡張側コネクタ３２が第２コネクタ２９に接続されたノートモードで、図５Ｂに示すようにキーボード装置１２の下面側から膨出部３４ａが突出する。これにより、電子機器１０が机の面上等で後上がりの傾斜姿勢となり、キーボード２０やタッチパッド２１の操作性が向上する。さらにこの状態からスタンド３６を回動させて、膨出部３４ａからさらに下方に突出する方向に設定する。そうすると、図５Ｂ中に２点鎖線で示すスタンド３６のように、スタンド３６が膨出部３４ａよりも下方で机の面上等に着地する。その結果、電子機器１０が机の面上等でさらに後上がりの傾斜姿勢となり、様々な使用状況に対応することができる。
【００３８】
また拡張装置１６が膨出部３４ａを有する略円筒形状の構造であることで、拡張装置１６に内蔵するバッテリ装置に円筒状のバッテリを用いることができる。円筒状のバッテリは、その外形サイズに対する電池容量が高く、コストも低いものが多い。反面、円筒状のバッテリは、薄型化が難しく、携帯用情報機器１４やキーボード装置１２に内蔵すると、これら携帯用情報機器１４やキーボード装置１２の薄型化を阻害し或いはスペースの都合上、電池容量の低いものしか搭載できない懸念がある。この点、携帯用情報機器１４やキーボード装置１２に対する外付けのバッテリ装置として機能する拡張装置１６に円筒状のバッテリを搭載することで、当該電子機器１０の電池容量の向上とコストの低減とが可能となる。
【００３９】
膨出部３４ａは、拡張装置１６がキーボード装置１２に接続された場合にキーボード装置１２の上面側には突出しない。このため、拡張装置１６が機器装着部２４による携帯用情報機器１４の回動角度の調整時に機器装着部２４や携帯用情報機器１４に干渉し、電子機器１０のディスプレイとなる携帯用情報機器１４の回動角度の調整範囲が制限されることが防止される。
【００４０】
勿論、図６Ｂ中に２点鎖線で示すスタンド３６のように、スタンド３６はタブレットモードでのスタンドとしての機能も有する。なお、タブレットモード中にスタンド３６を畳んで収納姿勢とすると、膨出部３４ａのみが携帯用情報機器１４の裏面側に突出した状態となる（図６Ｂ中に実線で示すスタンド３６参照）。そうすると、ユーザがタブレットモードにある電子機器１０の下端面にある拡張装置１６を膨出部３４ａ及び筒状部３６ａごと手で把持して操作することができる。これにより、薄型化が図られた携帯用情報機器１４の一側面１４ａを把持する場合に比べ、厚みのある膨出部３４ａを介して電子機器１０を安定して把持することができ、操作性が一層向上する。
【００４１】
なお、本発明は、上記した実施形態に限定されるものではなく、本発明の主旨を逸脱しない範囲で自由に変更できることは勿論である。
【００４２】
上記実施形態では、携帯用情報機器１４を接続するための第１コネクタ２８をキーボード装置１２に回動可能に連結した機器装着部２４に設けた構成を例示した。しかしながら、第１コネクタ２８はキーボード装置１２の上面に直接的に接続する構成等でもよく、機器装着部２４は回動可能ではなく固定型でもよい。また拡張装置１６は、キーボード装置１２の後端面１２ａではなく下面等に接続される構成であってもよい。
【符号の説明】
【００４３】
１０  電子機器
１２  キーボード装置
１２ａ  後端面
１４  携帯用情報機器
１４ａ  一側面
１６  拡張装置
１６ａ  前端面
１８  ディスプレイ
２０  キーボード
２２  ヒンジ
２４  機器装着部
２４ａ  先端面
２６  機器側コネクタ
２８  第１コネクタ
２９  第２コネクタ
３０  ガイド突起
３１  ガイド凹部
３２  拡張側コネクタ
３４  筐体
３４ａ  膨出部
３６  スタンド
３６ａ  筒状部 
【図１】
2018010457.tif 000003
【図２】
2018010457.tif 000004
【図３】
2018010457.tif 000005
【図４】
2018010457.tif 000006
【図５Ａ】
2018010457.tif 000007
【図５Ｂ】
2018010457.tif 000008
【図６Ａ】
2018010457.tif 000009
【図６Ｂ】
2018010457.tif 000010